(57)【特許請求の範囲】
【請求項１】
口金と、前記口金の上方に配置される透光性グローブとを有する電球形ランプであって、
前記透光性グローブ内方に配置され、上面に第一発光素子群が設けられた主発光モジュールと、
前記透光性グローブ内方に配置され、前記主発光モジュールの下面に接合されるとともに、下面に第二発光素子群が設けられた副発光モジュールと、
前記第一発光素子群と前記第二発光素子群とに電力を供給するための駆動回路と、
前記主発光モジュール及び前記副発光モジュールと前記駆動回路とを電気的に接続するためのリード線とを備え、
前記主発光モジュールは、第一貫通孔が形成された主基板と、前記主基板の上面に設けられ前記第一発光素子群と前記駆動回路とを電気的に接続するための第一端子とを有し、
前記副発光モジュールは、前記第一貫通孔と対応する位置に第二貫通孔が形成された副基板と、前記副基板の下面に設けられ前記第二発光素子群と電気的に接続された第二端子とを有し、
前記電球形ランプは、さらに、
前記第一貫通孔と前記第二貫通孔とに挿入され、上部が前記第一端子と電気的に接続されるとともに下部が前記第二端子と電気的に接続されることで前記第一端子と前記第二端子とを電気的に接続する導電性の挿入部材であって、前記リード線を前記第一貫通孔と前記第二貫通孔とに挿入するための挿入経路を形成する前記挿入部材を備える
電球形ランプ。
【請求項２】
前記挿入部材は、外形が前記第一貫通孔と前記第二貫通孔とに対応した形状であり、前記第一貫通孔と前記第二貫通孔とに挿入されることで、前記第一貫通孔に対する前記第二貫通孔の位置を規制する
請求項１に記載の電球形ランプ。
【請求項３】
前記挿入部材は、上下方向に貫通する貫通孔が形成された中空ピンであり、
前記リード線は、前記貫通孔を前記挿入経路として前記挿入部材に挿入されることで、前記第一貫通孔と前記第二貫通孔とに挿入される
請求項１又は２に記載の電球形ランプ。
【請求項４】
前記挿入部材は、下部に、外方に突出した突出部を有し、
前記突出部は、前記第二端子と電気的に接続される
請求項１〜３のいずれか１項に記載の電球形ランプ。
【請求項５】
さらに、
前記リード線の上部と前記挿入部材の上部と前記第一端子とを覆う導電性の部材である第一導電性部材を備え、
前記リード線の上部と前記挿入部材の上部と前記第一端子とは、前記第一導電性部材を介して電気的に接続される
請求項１〜４のいずれか１項に記載の電球形ランプ。
【請求項６】
請求項１〜５のいずれか１項に記載の電球形ランプを備える照明装置。
【請求項７】
口金と、前記口金の上方に配置される透光性グローブとを有する電球形ランプの製造方法であって、
前記電球形ランプは、
上面に第一発光素子群が設けられた主発光モジュールと、下面に第二発光素子群が設けられた副発光モジュールと、前記第一発光素子群と前記第二発光素子群とに電力を供給するための駆動回路と、前記主発光モジュール及び前記副発光モジュールと前記駆動回路とを電気的に接続するためのリード線とを備え、
前記電球形ランプの製造方法は、
前記副発光モジュールの副基板に形成された第二貫通孔に導電性の挿入部材を挿入することで、前記リード線を前記第二貫通孔に挿入するための挿入経路を形成する第一挿入工程と、
前記副基板の下面に設けられ前記第二発光素子群と前記駆動回路とを電気的に接続するための前記第二端子と、前記挿入部材の下部とを電気的に接続する第一接続工程と、
前記主発光モジュールの主基板に形成された第一貫通孔に前記挿入部材を挿入することで、前記リード線を前記第一貫通孔に挿入するための挿入経路を形成する第二挿入工程と、
前記主基板の上面に設けられ前記第一発光素子群と前記駆動回路とを電気的に接続するための第一端子と、前記挿入部材の上部とを電気的に接続することで、前記第一端子と前記第二端子とを電気的に接続する第二接続工程と
を含む電球形ランプの製造方法。
【請求項８】
前記挿入部材は、下部に、外方に突出した突出部を有し、
前記第一接続工程では、前記突出部と前記第二端子とを電気的に接続する
請求項７に記載の電球形ランプの製造方法。
【請求項９】
前記第二接続工程では、前記第一貫通孔と前記第二貫通孔とに前記リード線を挿入し、前記リード線の上部と前記挿入部材の上部と前記第一端子とを電気的に接続する
請求項７又は８に記載の電球形ランプの製造方法。
【発明の詳細な説明】
【技術分野】
【０００１】
本発明は、電球形ランプ、照明装置及び電球形ランプの製造方法に関し、特に、半導体発光素子を用いた電球形ランプ、これを用いた照明装置、及び電球形ランプの製造方法に関する。
【背景技術】
【０００２】
近年、ＬＥＤ（Ｌｉｇｈｔ  Ｅｍｉｔｔｉｎｇ  Ｄｉｏｄｅ）等の半導体発光素子は、高効率及び長寿命であることから、各種ランプの新しい光源として期待されており、ＬＥＤを光源とするＬＥＤランプの研究開発が進められている。【０００３】
このようなＬＥＤランプとしては、電球形のＬＥＤランプ（電球形ＬＥＤランプ）があり、電球形ＬＥＤランプでは、基板と、基板上に実装された複数のＬＥＤとを備える発光モジュールが用いられる。例えば、特許文献１には、従来の電球形ＬＥＤランプが開示されている。【０００４】
この特許文献１に開示された従来の電球形ＬＥＤランプでは、ＬＥＤが実装された基板に形成された貫通孔に、ＬＥＤに電力を供給するためのリード線が配置され、基板とリード線とが半田付けされる。
【先行技術文献】
【特許文献】
【０００５】
【特許文献１】特開２００６−３１３７１７号公報
【発明の概要】
【発明が解決しようとする課題】
【０００６】
ここで、上記のような電球形ＬＥＤランプに用いられる発光モジュールは、通常、基板の片面（ＬＥＤが実装された面）のみから光を取り出すような構成となっているため、電球形ＬＥＤランプの口金側への光束は低く、広い配光角を実現することは困難である。このため、口金に向けて光を発する別の発光モジュールを設けることが考えられる。つまり、２つの発光モジュールを用い、当該２つの発光モジュールのＬＥＤが実装されていない面同士を貼り合わせる。この場合、ＬＥＤで発生する熱を放熱するために、当該２つの発光モジュールを隙間無く貼り合わせて、当該２つの発光モジュール間での熱伝達性を良くする必要がある。【０００７】
具体的には、当該２つの発光モジュールを貼り合わせる際には、まず、当該２つの発光モジュールのそれぞれに形成されたリード線を配置するための貫通孔が重なるように、当該２つの発光モジュールを配置する。そして、当該２つの発光モジュールの接着界面に隙間が空かないように荷重を加えて接着部材を硬化させることで、当該２つの発光モジュールを貼り合わせる。そして、当該２つの発光モジュールのそれぞれの貫通孔にリード線を挿入して、当該２つの発光モジュールとリード線とを半田付け等で接続する。【０００８】
しかし、この場合に、当該２つの発光モジュールそれぞれの貫通孔の位置がずれたり、当該貫通孔が接着部材によって塞がれてしまったりすることで、当該２つの発光モジュールにリード線を接続することができない場合がある。この場合、貫通孔の位置ずれの修正や、塞がれた貫通孔に再度孔を形成する工程が必要であり、当該２つの発光モジュールにリード線を接続する際の生産性が低下する。【０００９】
また、当該２つの発光モジュールにリード線を接続する際に、当該２つの発光モジュールに電力を供給するために、当該２つの発光モジュールのそれぞれとリード線とを半田付け等で接続する必要があり、この場合においても、生産性が低下するという問題がある。【００１０】
本発明は、このような問題に鑑み、２つの発光モジュールを貼り合わせる構成において、当該２つの発光モジュールにリード線を接続する際の生産性を向上させることができる電球形ランプ、照明装置及び電球形ランプの製造方法を提供することを目的とする。
【課題を解決するための手段】
【００１１】
上記目的を達成するために、本発明の一態様に係る電球形ランプは、口金と、前記口金の上方に配置される透光性グローブとを有する電球形ランプであって、前記透光性グローブ内方に配置され、上面に第一発光素子群が設けられた主発光モジュールと、前記透光性グローブ内方に配置され、前記主発光モジュールの下面に接合されるとともに、下面に第二発光素子群が設けられた副発光モジュールと、前記第一発光素子群と前記第二発光素子群とに電力を供給するための駆動回路と、前記主発光モジュール及び前記副発光モジュールと前記駆動回路とを電気的に接続するためのリード線とを備え、前記主発光モジュールは、第一貫通孔が形成された主基板と、前記主基板の上面に設けられ前記第一発光素子群と前記駆動回路とを電気的に接続するための第一端子とを有し、前記副発光モジュールは、前記第一貫通孔と対応する位置に第二貫通孔が形成された副基板と、前記副基板の下面に設けられ前記第二発光素子群と電気的に接続された第二端子とを有し、前記電球形ランプは、さらに、前記第一貫通孔と前記第二貫通孔とに挿入され、上部が前記第一端子と電気的に接続されるとともに下部が前記第二端子と電気的に接続されることで前記第一端子と前記第二端子とを電気的に接続する導電性の挿入部材であって、前記リード線を前記第一貫通孔と前記第二貫通孔とに挿入するための挿入経路を形成する前記挿入部材を備えることを特徴とする。【００１２】
また、本発明に係る電球形ランプの一態様において、前記挿入部材は、外形が前記第一貫通孔と前記第二貫通孔とに対応した形状であり、前記第一貫通孔と前記第二貫通孔とに挿入されることで、前記第一貫通孔に対する前記第二貫通孔の位置を規制することにしてもよい。【００１３】
また、本発明に係る電球形ランプの一態様において、前記挿入部材は、上下方向に貫通する貫通孔が形成された中空ピンであり、前記リード線は、前記貫通孔を前記挿入経路として前記挿入部材に挿入されることで、前記第一貫通孔と前記第二貫通孔とに挿入されることにしてもよい。【００１４】
また、本発明に係る電球形ランプの一態様において、前記挿入部材は、下部に、外方に突出した突出部を有し、前記突出部は、前記第二端子と電気的に接続されることにしてもよい。【００１５】
また、本発明に係る電球形ランプの一態様において、さらに、前記リード線の上部と前記挿入部材の上部と前記第一端子とを覆う導電性の部材である第一導電性部材を備え、前記リード線の上部と前記挿入部材の上部と前記第一端子とは、前記第一導電性部材を介して電気的に接続されることにしてもよい。【００１６】
また、上記目的を達成するために、本発明の一態様に係る照明装置は、上記いずれかの電球形ランプを備える照明装置であることを特徴とする。【００１７】
また、上記目的を達成するために、本発明の一態様に係る電球形ランプの製造方法は、口金と、前記口金の上方に配置される透光性グローブとを有する電球形ランプの製造方法であって、前記電球形ランプは、上面に第一発光素子群が設けられた主発光モジュールと、下面に第二発光素子群が設けられた副発光モジュールと、前記第一発光素子群と前記第二発光素子群とに電力を供給するための駆動回路と、前記主発光モジュール及び前記副発光モジュールと前記駆動回路とを電気的に接続するためのリード線とを備え、前記電球形ランプの製造方法は、前記副発光モジュールの副基板に形成された第二貫通孔に導電性の挿入部材を挿入することで、前記リード線を前記第二貫通孔に挿入するための挿入経路を形成する第一挿入工程と、前記副基板の下面に設けられ前記第二発光素子群と前記駆動回路とを電気的に接続するための前記第二端子と、前記挿入部材の下部とを電気的に接続する第一接続工程と、前記主発光モジュールの主基板に形成された第一貫通孔に前記挿入部材を挿入することで、前記リード線を前記第一貫通孔に挿入するための挿入経路を形成する第二挿入工程と、前記主基板の上面に設けられ前記第一発光素子群と前記駆動回路とを電気的に接続するための第一端子と、前記挿入部材の上部とを電気的に接続することで、前記第一端子と前記第二端子とを電気的に接続する第二接続工程とを含むことを特徴とする。【００１８】
また、本発明に係る電球形ランプの製造方法の一態様において、前記挿入部材は、下部に、外方に突出した突出部を有し、前記第一接続工程では、前記突出部と前記第二端子とを電気的に接続することにしてもよい。【００１９】
また、本発明に係る電球形ランプの製造方法の一態様において、前記第二接続工程では、前記第一貫通孔と前記第二貫通孔とに前記リード線を挿入し、前記リード線の上部と前記挿入部材の上部と前記第一端子とを電気的に接続することにしてもよい。
【発明の効果】
【００２０】
本発明によれば、２つの発光モジュールを貼り合わせる構成において、当該２つの発光モジュールにリード線を接続する際の生産性を向上させることができる電球形ランプ、照明装置及び電球形ランプの製造方法を実現することができる。
【図面の簡単な説明】
【００２１】
【図１】図１は、本発明の実施の形態に係る電球形ランプの側面図である。
【図２】図２は、本発明の実施の形態に係る電球形ランプの分解斜視図である。
【図３】図３は、本発明の実施の形態に係る電球形ランプの断面図である。
【図４】図４は、本発明の実施の形態に係るＬＥＤモジュールの構成を示す図である。
【図５】図５は、本発明の実施の形態に係るＬＥＤモジュールとリード線との接続箇所の構成を示す図である。
【図６】図６は、本発明の実施の形態に係る第一発光モジュール及び第二発光モジュールのリード線との接続部分を示す図である。
【図７】図７は、本発明の実施の形態に係る挿入部材の外観を示す斜視図である。
【図８】図８は、本発明の実施の形態に係る電球形ランプの製造方法を示すフローチャートである。
【図９】図９は、本発明の実施の形態に係る電球形ランプの製造方法を示すフローチャートである。
【図１０】図１０は、本発明の実施の形態に係る電球形ランプの製造過程を説明するための図である。
【図１１】図１１は、本発明の実施の形態の変形例１に係る電球形ランプにおけるＬＥＤモジュールとリード線との接続箇所の構成を示す図である。
【図１２】図１２は、本発明の実施の形態の変形例２に係る電球形ランプにおけるＬＥＤモジュールとリード線との接続箇所の構成を示す図である。
【図１３】図１３は、本発明の実施の形態の変形例３に係る電球形ランプにおけるＬＥＤモジュールとリード線との接続箇所の構成を示す図である。
【図１４】図１４は、本発明の実施の形態の変形例４に係る電球形ランプにおける挿入部材の構成を示す図である。
【図１５】図１５は、本発明の実施の形態の変形例５に係る電球形ランプにおける挿入部材の構成を示す図である。
【図１６】図１６は、本発明の実施の形態の変形例６に係るＬＥＤモジュールと支柱の構成を示す図である。
【発明を実施するための形態】
【００２２】
以下、本発明の実施の形態に係る電球形ランプ及び照明装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、図面において、実質的に同一の構成、動作、及び効果を表す要素については、同一の符号を付す。なお、各図は、模式図であり、必ずしも厳密に図示したものではない。
【００２３】
まず、本発明の実施の形態に係る電球形ランプ１の全体構成について、図１〜図３を参照しながら説明する。
【００２４】
図１は、本発明の実施の形態に係る電球形ランプ１の側面図である。図２は、本発明の実施の形態に係る電球形ランプ１の分解斜視図である。図３は、本発明の実施の形態に係る電球形ランプ１の断面図である。
【００２５】
電球形ランプ１は、電球形蛍光灯又は白熱電球の代替品となる電球形ＬＥＤランプである。電球形ランプ１は、透光性のグローブ１０と、光源であるＬＥＤモジュール２と、支柱４０と、支持板５０と、樹脂ケース６０と、リード線７０と、点灯回路８０と、ランプ外部から電力を受ける口金９０とを備えている。
【００２６】
電球形ランプ１は、グローブ１０と樹脂ケース６０（第１ケース部６１）と口金９０とによって外囲器が構成されている。ここで、以降の説明においては、これらの図に示すＺ軸プラス方向を上方、Ｚ軸マイナス方向を下方として、説明を行う。つまり、グローブ１０は、口金９０の上方に配置されている。なお、上記の方向の定義は、電球形ランプ１が点灯器具に取り付けられる場合の方向とは関係なく、電球形ランプ１が点灯器具に取り付けられる場合には、いずれの方向が上方又は下方になってもかまわない。
【００２７】
［グローブ］
グローブ１０は、ＬＥＤモジュール２を収納する。グローブ１０は、ＬＥＤモジュール２からの光に対して透明な材料から構成され、ＬＥＤモジュール２からの光を透過させてランプ外部に透光する透光性グローブである。このようなグローブ１０としては、可視光に対して透明なシリカガラス製のガラスバルブ（クリアバルブ）とすることができる。この場合、グローブ１０内に収納されたＬＥＤモジュール２は、グローブ１０の外側から視認することができる。
【００２８】
グローブ１０の形状は、一端が球状に閉塞され、他端に開口部１１を有する形状である。具体的に、グローブ１０の形状は、中空の球の一部が、球の中心部から遠ざかる方向（Ｚ軸マイナス方向）に伸びながら狭まったような形状であり、球の中心部から遠ざかった位置に開口部１１が形成されている。このような形状のグローブ１０としては、一般的な白熱電球と同様の形状のガラスバルブを用いることができる。例えば、グローブ１０として、Ａ形、Ｇ形又はＥ形等のガラスバルブを用いることができる。
【００２９】
なお、グローブ１０は、必ずしも可視光に対して透明である必要はなく、グローブ１０に光拡散機能を持たせてもよい。例えば、シリカや炭酸カルシウム等の光拡散材を含有する樹脂や白色顔料等をグローブ１０の内面又は外面の全面に塗布することによって乳白色の光拡散膜を形成してもよい。また、グローブ１０は、シリカガラス製である必要もない。例えば、アクリル等の樹脂材料によって作製されたグローブ１０を用いても構わない。
【００３０】
［ＬＥＤモジュール］
ＬＥＤモジュール２は、ＬＥＤ（ＬＥＤチップ）を有し、リード線７０を介してＬＥＤに電力が供給されることにより発光する発光モジュールである。ＬＥＤモジュール２は、支柱４０によってグローブ１０内に中空状態で保持されている。
【００３１】
ＬＥＤモジュール２は、グローブ１０によって形成される球形状の中心位置（例えば、グローブ１０の内径が大きい径大部分の内部）に配置されることが好ましい。このように、グローブ１０の中心位置にＬＥＤモジュール２が配置されることにより、電球形ランプ１の配光特性は、従来のフィラメントコイルを用いた一般白熱電球と近似した配光特性となる。
【００３２】
なお、ＬＥＤモジュール２の詳細な構成については、後述する。
【００３３】
［口金］
口金９０は、ＬＥＤモジュール２のＬＥＤを発光させるための電力を電球形ランプ１外部から受ける受電部である。口金９０は、二接点によって交流電力を受電し、口金９０で受電した電力はリード線を介して点灯回路８０の電力入力部に入力される。口金９０は、照明器具（照明装置）のソケットに取り付けられてソケットから電力を受けることで電球形ランプ１（ＬＥＤモジュール２）を点灯させる。
【００３４】
例えば、口金９０はＥ形であり、その外周面には照明装置のソケットに螺合させるための螺合部が形成され、その内周面には樹脂ケース６０に螺合させるための螺合部が形成されている。口金９０は、金属製の有底筒体形状である。なお、口金９０としては、ねじ込み型のエジソンタイプ（Ｅ型）の口金の他にも、Ｅ２６形又はＥ１７形の口金等を用いることができる。
【００３５】
［支柱］
支柱４０は、グローブ１０の開口部１１の近傍から上方（グローブ１０の内方）に向かって延びるように設けられたステムであり、グローブ１０内でＬＥＤモジュール２を保持する保持部材として機能する。支柱４０の一端はＬＥＤモジュール２に接続され、他端は支持板５０に接続されている。つまり、支柱４０の上面はＬＥＤモジュール２の下面と接しており、支柱４０とＬＥＤモジュール２とは、例えばシリコーン樹脂等の樹脂の接着剤により接着されている。
【００３６】
支柱４０は、ＬＥＤモジュール２で発生する熱を口金９０側に放熱させるための放熱部材としても機能する。従って、支柱４０を熱伝導率の高い金属材料、例えば熱伝導率が２３７［Ｗ／ｍ・Ｋ］のアルミニウム等により構成することで支柱４０による放熱効率を高めることができる。その結果、温度上昇によるＬＥＤの発光効率及び寿命の低下を抑制することができる。なお、支柱４０は、樹脂等により構成することもできる。
【００３７】
［支持板］
支持板５０は、支柱４０を支持する部材であり、樹脂ケース６０に固定されている。支持板５０は、グローブ１０の開口部１１の開口端に接続されてグローブ１０の開口部１１を塞ぐように構成されている。具体的に、支持板５０は、周縁に段差部を有する円盤状部材で構成されており、その段差部にはグローブ１０の開口部１１の開口端が当接されている。そして、この段差部において、支持板５０と樹脂ケース６０とグローブ１０の開口部１１の開口端とが、接着剤によって固着されている。
【００３８】
支持板５０は、支柱４０と同様に、アルミニウム等の熱伝導率の高い金属材料により構成されることで、支持板５０による支柱４０を熱伝導したＬＥＤモジュール２の熱の放熱効率が高められる。その結果、温度上昇によるＬＥＤの発光効率及び寿命の低下をさらに抑制することができる。
【００３９】
［樹脂ケース］
樹脂ケース６０は、支柱４０と口金９０とを絶縁すると共に点灯回路８０を収納するための絶縁ケース（回路ホルダ）であり、大径円筒状の第１ケース部６１と、小径円筒状の第２ケース部６２とから構成されている。樹脂ケース６０は、例えば、ポリブチレンテレフタレート（ＰＢＴ）によって成形することができる。
【００４０】
第１ケース部６１の外表面は外気に露出しているので、樹脂ケース６０に伝導した熱は、主に第１ケース部６１から放熱される。第２ケース部６２は、外周面が口金９０の内周面と接触するように構成されており、第２ケース部６２の外周面には口金９０と螺合するための螺合部が形成されている。
【００４１】
［リード線］
２本のリード線７０は、ＬＥＤモジュール２を点灯させるための電力を点灯回路８０からＬＥＤモジュール２に供給するための銅線等の針金状の金属電線である。各リード線７０は、グローブ１０内に配置され、一端がＬＥＤモジュール２の外部端子と電気的に接続され、他端が点灯回路８０の電力出力部、言い換えると口金９０と電気的に接続されている。つまり、２本のリード線７０は、後述する第一発光モジュール２０及び第二発光モジュール３０と点灯回路８０とを電気的に接続するためのリード線対である。リード線７０は、その一部がＬＥＤモジュール２の外部端子に接続されることでＬＥＤモジュール２を支持する支持部としても機能している。
【００４２】
２本のリード線７０は、金属の芯線と当該芯線を被覆する絶縁性樹脂とで構成される例えばビニル線であり、ＬＥＤモジュール２とは絶縁性樹脂で被覆されておらず表面がむき出しにされた芯線を介して電気的に接続される。
【００４３】
なお、リード線７０のＬＥＤモジュール２との接続関係の詳細については、後述する。
【００４４】
［点灯回路］
点灯回路８０は、ＬＥＤモジュール２のＬＥＤを点灯させるための回路ユニットであり、複数の回路素子と、各回路素子が実装される回路基板とを有する。点灯回路８０は、口金９０から給電された交流電力を直流電力に変換し、２本のリード線７０を介して変換後の直流電力をＬＥＤモジュール２のＬＥＤに供給する。つまり、点灯回路８０は、後述する第一発光素子２２と第二発光素子３２とに電力を供給するための駆動回路である。
【００４５】
なお、電球形ランプ１は、必ずしも点灯回路８０を備える必要はない。例えば、照明器具又は電池等から電球形ランプ１に直接直流電力が供給される場合には、電球形ランプ１は、点灯回路８０を備えなくてもよい。また、点灯回路８０は、平滑回路に限られるものではなく、調光回路及び昇圧回路等を適宜選択、組み合わせて構成することができる。
【００４６】
次に、ＬＥＤモジュール２の詳細な構成と、ＬＥＤモジュール２及びリード線７０の接続関係とについて、図４〜図６を用いて説明する。
【００４７】
図４は、本発明の実施の形態に係るＬＥＤモジュール２の構成を示す図である。具体的には、図４の（ａ）は、電球形ランプ１においてグローブ１０を除いた状態でＬＥＤモジュール２を上方から見たときの平面図である。また、図４の（ｂ）は、図４の（ａ）のＡ−Ａ’線に沿って切断したＬＥＤモジュール２の断面図であり、図４の（ｃ）は、図４の（ａ）のＢ−Ｂ’線に沿って切断したＬＥＤモジュール２の断面図である。
【００４８】
図５は、本発明の実施の形態に係るＬＥＤモジュール２とリード線７０との接続箇所の構成を示す図である。具体的には、図５の（ａ）は、図４の（ａ）のＣ−Ｃ’線に沿って切断したＬＥＤモジュール２の断面図であり、図５の（ｂ）は、ＬＥＤモジュール２とリード線７０との接続箇所を拡大して示す図である。
【００４９】
図６は、本発明の実施の形態に係る第一発光モジュール２０及び第二発光モジュール３０のリード線７０との接続部分を示す図である。具体的には、図６の（ａ）は、第一発光モジュール２０のリード線７０との接続部分を上方から見たときの平面図であり、図６の（ｂ）は、第一発光モジュール２０のリード線７０との接続部分の断面図である。また、図６の（ｃ）は、第二発光モジュール３０のリード線７０との接続部分の断面図であり、図６の（ｄ）は、第二発光モジュール３０のリード線７０との接続部分を下方から見たときの平面図である。
【００５０】
ＬＥＤモジュール２は、ベアチップが上面及び下面に直接実装されたＣＯＢ（Ｃｈｉｐ  Ｏｎ  Ｂｏａｒｄ）構造である。ここで、ＬＥＤモジュール２は、第一発光モジュール２０と、第一発光モジュール２０の下面に接合された第二発光モジュール３０と、挿入部材３９とを備えている。つまり、リード線７０は、後述する第一発光モジュール２０の上面に設けられた第一発光素子２２と第二発光モジュール３０の下面に設けられた第二発光素子３２とに電力を供給する。
【００５１】
第一発光モジュール２０は、第一基台２１と、第一基台２１の上面に設けられた複数の第一発光素子２２、第一封止部材２３、第一金属配線２４及び２６、第一ワイヤー２５、第一導電性部材２７並びに第一端子（外部端子）２８とを備えている。なお、第一発光モジュール２０は、請求の範囲に記載の「主発光モジュール」に相当し、第一基台２１は、請求の範囲に記載の「主基板」に相当する。
【００５２】
また、第二発光モジュール３０は、第二基台３１と、第二基台３１の下面に設けられた複数の第二発光素子３２、第二封止部材３３、第二金属配線３４及び３６、第二ワイヤー３５、第二導電性部材３７並びに第二端子（外部端子）３８とを備えている。なお、第二発光モジュール３０は、請求の範囲に記載の「副発光モジュール」に相当し、第二基台３１は、請求の範囲に記載の「副基板」に相当する。
【００５３】
［第一基台、第二基台］
以下に、第一基台２１及び第二基台３１について詳細に説明する。なお、第一基台２１と第二基台３１とは同様の構成を有するため、以下では、第一基台２１についての説明を詳細に行うこととし、第二基台３１についての説明は簡略化又は省略する。
【００５４】
第一基台２１は、非導電性の基板であり、例えばセラミック基板、樹脂基板、ガラス基板、フレキシブル基板又はアルミナ基板等の平板状の基板である。第一基台２１は、第一発光素子２２を実装するための矩形状の実装基板（ＬＥＤ実装用基板）である。第一基台２１は、その長辺の長さをＬ１とし、短辺の長さをＬ２とし、厚みをｄとすると、例えばＬ１＝２６ｍｍ、Ｌ２＝１３ｍｍ、ｄ＝１ｍｍとされる。
【００５５】
第一基台２１は、第一発光素子２２から発せられる光に対して光透過率が低く例えば１０％以下の白色アルミナ基板や白色セラミック基板等の白色基板等で構成されることが好ましい。例えば、第一基台２１は、第一発光素子２２から発せられる光に対して光反射率５０％以上を有し、Ａｌ２Ｏ３、ＭｇＯ、ＳｉＯ、及びＴｉＯ２のいずれかを主成分とする基板で構成することができる。
【００５６】
また、図５及び図６に示すように、第一基台２１の長辺方向の両端部には、第一基台２１の上面から下面に向けて貫通する２つの第一貫通孔２１ａが形成されている。また、第二基台３１の長辺方向の両端部には、第一貫通孔２１ａと対応する位置に、第二基台３１の上面から下面に向けて貫通する２つの第二貫通孔３１ａが形成されている。
【００５７】
具体的には、第一貫通孔２１ａ及び第二貫通孔３１ａは、円柱形状（ＸＹ平面での断面が円形状）の貫通孔である。また、これらの第一貫通孔２１ａ及び第二貫通孔３１ａは、給電用のリード線７０と第一端子２８及び第二端子３８とを電気的に接続するためのものであり、第一貫通孔２１ａ及び第二貫通孔３１ａのそれぞれにはリード線７０が挿通されている。
【００５８】
なお、第一基台２１上に設けられた複数の第一発光素子２２で発生する熱を放熱するために、第一基台２１と第二基台３１とは、接着剤などによって隙間無く貼り合わせられている。これにより、第一基台２１と第二基台３１との間での熱伝達性が良くなり、第一基台２１で発生した熱を支柱４０側に放熱することができる。
【００５９】
また、ＬＥＤモジュール２を支柱４０に固定するために、第二基台３１の中央部分に、支柱４０に形成された突起部と嵌合する溝や貫通孔などが形成されていてもよい。また、接着剤によりＬＥＤモジュール２を支柱４０に固定する構成でも構わない。
【００６０】
［第一発光素子、第二発光素子］
次に、第一発光素子２２及び第二発光素子３２について詳細に説明する。なお、第一発光素子２２と第二発光素子３２とは同様の構成を有するため、以下では、第一発光素子２２についての説明を詳細に行うこととし、第二発光素子３２についての説明は簡略化又は省略する。
【００６１】
第一発光素子２２は、全方位、つまり側方、上方及び下方に向けて単色の可視光を発するベアチップである。第一発光素子２２は、例えば、側方に全光量の２０％、上方に全光量の６０％、下方に全光量の２０％の光を発する。
【００６２】
第一発光素子２２は、例えば一辺の長さが約０．３５ｍｍ（３５０μｍ）で、通電されることで青色光を発する矩形状（正方形）の青色発光ＬＥＤチップである。青色ＬＥＤチップとしては、例えばＩｎＧａＮ系の材料によって構成された、中心波長が４４０ｎｍ〜４７０ｎｍの窒化ガリウム系の半導体発光素子を用いることができる。
【００６３】
また、第一発光素子２２は、第一基台２１の上面に複数実装されている。複数の第一発光素子２２は、第一基台２１の長辺方向に同一ピッチで直線状に配列されて構成された素子列が第一基台２１の短辺方向に複数本並べられるように配設されている。複数の第一発光素子２２は素子列において直列接続され、素子列同士において並列接続されている。この複数の第一発光素子２２の全部又は一部は、請求の範囲に記載の「第一発光素子群」に相当する。また、複数の第二発光素子３２の全部又は一部は、請求の範囲に記載の「第二発光素子群」に相当する。
【００６４】
例えば、複数の第一発光素子２２は、素子列内において隣り合う第一発光素子２２の間隔（ピッチ）が１．８ｍｍとなり、隣り合う素子列において一方の素子列の第一発光素子２２と他方の素子列の第一発光素子２２との間隔が例えば４ｍｍとなるように配設されている。また、隣り合う第一発光素子２２において、一方の第一発光素子２２のカソード電極と他方の第一発光素子２２のアノード電極とは、第一ワイヤー２５により接続されている。
【００６５】
なお、本実施の形態では、図４の（ｃ）に示すように、第一発光素子２２は、第一基台２１の上面に６列並べられ、第二発光素子３２は、第二基台３１の下面に２列並べられているが、それぞれの列の数は限定されない。
【００６６】
［第一封止部材、第二封止部材］
次に、第一封止部材２３及び第二封止部材３３について詳細に説明する。なお、第一封止部材２３と第二封止部材３３とは同様の構成を有するため、以下では、第一封止部材２３についての説明を詳細に行うこととし、第二封止部材３３についての説明は簡略化又は省略する。
【００６７】
第一封止部材２３は、第一発光素子２２が発する光の波長を変換する変換部材であり、第一発光素子２２を覆うように形成されている。第一封止部材２３は、第一発光素子２２が発する光の波長を変換する波長変換材と、波長変換材を含有する樹脂材料とから構成される封止樹脂である。波長変換材としては、第一発光素子２２が発する光によって励起されて所望の色（波長）の光を放出する蛍光体粒子を用いることもできるし、半導体、金属錯体、有機染料及び顔料等のある波長の光を吸収して吸収した光とは異なる波長の光を発する物質を含む材料を用いることもできる。なお、第一封止部材２３には、シリカ粒子等の光拡散材が分散されていてもよい。
【００６８】
このような蛍光体粒子としては、第一発光素子２２が青色光を発する青色ＬＥＤである場合、第一封止部材２３から白色光を出射させるために、青色光を黄色光に波長変換する蛍光体粒子が用いられる。例えば、蛍光体粒子としてＹＡＧ（イットリウム・アルミニウム・ガーネット）系の黄色蛍光体粒子を用いることができる。これにより、第一発光素子２２が発した青色光の一部は、第一封止部材２３に含まれる黄色蛍光体粒子によって黄色光に波長変換される。そして、黄色蛍光体粒子に吸収されなかった（波長変換されなかった）青色光と、黄色蛍光体粒子によって波長変換された黄色光とは、第一封止部材２３の中で拡散及び混合されることにより、第一封止部材２３から白色光となって出射される。なお、蛍光体粒子として、黄色蛍光体粒子以外に緑色蛍光体粒子及び赤色蛍光体粒子等が用いられてもよく、第一発光素子２２が紫外線を発する第一発光素子２２である場合、波長変換材である蛍光体粒子としては、三原色（赤色、緑色、青色）に発光する各色蛍光体粒子を組み合わせたものが用いられる。
【００６９】
一方、蛍光体粒子を含有させる樹脂材料としては、シリコーン樹脂等の透明樹脂材料、フッ素系樹脂等の有機材、並びに低融点ガラス及びゾルゲルガラス等の無機材等を用いることができる。
【００７０】
上述した構成の第一封止部材２３は、素子列を構成する複数の第一発光素子２２の配列方向に沿って直線状に形成され、第一発光素子２２の素子列を一括封止している。同時に、第一封止部材２３は、素子列の配列方向に沿って複数形成され、異なる素子列を個別に封止している。１本あたりの第一封止部材２３は、例えば、長さが２４ｍｍ、線幅が１．６ｍｍ、中心最大高さが０．７ｍｍである。
【００７１】
［第一金属配線、第二金属配線、第一端子、第二端子］
次に、第一金属配線２４、２６、第二金属配線３４、３６、第一端子２８及び第二端子３８について詳細に説明する。なお、第一金属配線２４、２６及び第一端子２８と、第二金属配線３４、３６及び第二端子３８とは同様の構成を有するため、以下では、第一金属配線２４、２６及び第一端子２８についての説明を詳細に行うこととし、第二金属配線３４、３６及び第二端子３８についての説明は、簡略化又は省略する。
【００７２】
第一金属配線２６は、第一発光素子２２の素子列と第一端子２８とを電気的に並列接続するために、第一基台２１の両端部に所定形状で島状に２つ形成されている。これら２つの第一金属配線２６は、第一基台２１の表面において、複数の第一発光素子２２の素子列を挟み込むように形成されている。
【００７３】
第一金属配線２６は、第一基台２１の表面において、第一発光素子２２の素子列と隣り合う部分で素子列に向かって突出している。この第一金属配線２６の突出部は、第一発光素子２２からの第一ワイヤー２５との接続箇所となる。
【００７４】
第一端子２８は、第一導電性部材２７が設けられる給電電極、例えば半田付けが行われる半田電極として、第一基台２１の表面に所定形状で形成されている。第一端子２８は、２つの第一金属配線２６のそれぞれに対応して２つ形成された端子対である。これら２つの第一端子２８は、それぞれ対応する第一金属配線２６と一体化して形成されている。このような対応する１組の第一金属配線２６及び第一端子２８により１つの配線パターンが構成されている。
【００７５】
第一端子２８は、ＬＥＤモジュール２の給電部であって、第一発光素子２２と点灯回路８０とを電気的に接続するための端子である。第一端子２８は、第一発光素子２２を発光させるために、ＬＥＤモジュール２の外部から電力を受け、受けた電力を第一金属配線２６及び２４並びに第一ワイヤー２５を介して各第一発光素子２２に供給する。また、同様に、第二端子３８は、第二発光素子３２と点灯回路８０とを電気的に接続するための端子である。
【００７６】
第一金属配線２４は、複数の第一発光素子２２同士を電気的に直列接続するために、第一基台２１の表面に所定形状で複数形成されている。これら複数の第一金属配線２４は、第一基台２１の表面において、素子列内で隣り合う第一発光素子２２の間に島状に形成されている。
【００７７】
上述した構成の第一金属配線２６及び２４並びに第一端子２８は同じ金属材料で同時にパターン形成される。金属材料としては、例えば、銀（Ａｇ）、タングステン（Ｗ）又は銅（Ｃｕ）等を用いることができる。なお、第一金属配線２６及び２４並びに第一端子２８の表面に、ニッケル（Ｎｉ）／金（Ａｕ）等のメッキ処理を施しても構わない。また、第一金属配線２６及び２４並びに第一端子２８は、異なる金属材料により構成されてもよいし、別々の工程で形成されてもよい。
【００７８】
［第一ワイヤー、第二ワイヤー］
次に、第一ワイヤー２５及び第二ワイヤー３５について詳細に説明する。なお、第一ワイヤー２５と第二ワイヤー３５とは同様の構成を有するため、以下では、第一ワイヤー２５についての説明を詳細に行うこととし、第二ワイヤー３５についての説明は簡略化又は省略する。
【００７９】
第一ワイヤー２５は、第一発光素子２２と第一金属配線２６、又は第一発光素子２２と第一金属配線２４とを接続するための電線であり、例えば、金ワイヤーである。この第一ワイヤー２５により、第一発光素子２２のカソード電極及びアノード電極のそれぞれと第一発光素子２２の両側に隣接して形成された第一金属配線２６又は第一金属配線２４とがワイヤボンディングされている。
【００８０】
第一ワイヤー２５は、例えば、第一封止部材２３から露出しないように、全体が第一封止部材２３の中に埋め込まれる。
【００８１】
［第一導電性部材、第二導電性部材］
次に、第一導電性部材２７及び第二導電性部材３７について詳細に説明する。
【００８２】
第一導電性部材２７は、第一端子２８とリード線７０と挿入部材３９とを接続する半田又は銀ペースト等の導電性接着剤である。つまり、第一導電性部材２７は、リード線７０の上部と挿入部材３９の上部と第一端子２８とを覆う導電性の部材であり、リード線７０の上部と挿入部材３９の上部と第一端子２８とは、第一導電性部材２７を介して電気的に接続されている。
【００８３】
また、第二導電性部材３７は、第二端子３８と挿入部材３９とを接続する半田又は銀ペースト等の導電性接着剤である。つまり、第二導電性部材３７は、挿入部材３９の下部と第二端子３８とを覆う導電性の部材であり、挿入部材３９の下部と第二端子３８とは、第二導電性部材３７を介して電気的に接続されている。
【００８４】
なお、上記の「覆う」とは、全体を覆うことには限定されず、少なくとも一部を覆うことも含む概念である。以下の説明においても同様である。つまり、第一導電性部材２７は、リード線７０の上部全体と挿入部材３９の上部の全体と第一端子２８の全体とを覆っていなくともよく、リード線７０の上部の少なくとも一部と挿入部材３９の上部の少なくとも一部と第一端子２８の少なくとも一部とを覆っていればよい。また、第二導電性部材３７は、挿入部材３９の下部の全体と第二端子３８の全体とを覆っていなくともよく、挿入部材３９の下部の少なくとも一部と第二端子３８の少なくとも一部とを覆っていればよい。
【００８５】
［挿入部材］
次に、図７も参照して、挿入部材３９について詳細に説明する。図７は、本発明の実施の形態に係る挿入部材３９の外観を示す斜視図である。
【００８６】
図５及び図７に示すように、挿入部材３９は、第一貫通孔２１ａと第二貫通孔３１ａとに挿入される導電性の部材である。挿入部材３９は、上部が第一端子２８と電気的に接続されるとともに、下部が第二端子３８と電気的に接続されることで、第一端子２８と第二端子３８とを電気的に接続する。また、挿入部材３９は、リード線７０を、第一貫通孔２１ａと第二貫通孔３１ａとに挿入するための挿入経路を形成する。なお、挿入部材３９の材質は導電性を有しているものであればよいが、例えば、半田付けの容易な銅（Ｃｕ）、錫（Ｓｎ）、ニッケル（Ｎｉ）、白金（Ｐｔ）、コバルト（Ｃｏ）、鉄（Ｆｅ）、及びその合金と、それらによるめっき加工を施したものなどが用いられる。  ここで、挿入部材３９は、筒状の本体部３９ａと、外方に突出した突出部３９ｂを備えている。つまり、挿入部材３９は、上下方向に貫通する貫通孔３９ｃが形成された中空ピンである。そして、リード線７０は、貫通孔３９ｃを挿入経路として挿入部材３９に挿入されることで、第一貫通孔２１ａと第二貫通孔３１ａとに挿入される。
【００８７】
本体部３９ａは、第一貫通孔２１ａと第二貫通孔３１ａとに挿入される、上下方向に延びる円筒状の部位である。なお、本体部３９ａの上下方向の長さは限定されないが、本体部３９ａは、上部が、第一基台２１の上面から突出しているのが好ましい。また、本体部３９ａは、外形が第一貫通孔２１ａと第二貫通孔３１ａとに対応した形状である。
【００８８】
つまり、第一貫通孔２１ａ及び第二貫通孔３１ａが断面円形状の貫通孔であるので、本体部３９ａは、水平面（ＸＹ平面）における断面が第一貫通孔２１ａ及び第二貫通孔３１ａの断面とほぼ同じ大きさの円形状の外形を有している。これにより、挿入部材３９は、第一貫通孔２１ａと第二貫通孔３１ａとに挿入されることで、第一貫通孔２１ａに対する第二貫通孔３１ａの位置を規制する。なお、第一貫通孔２１ａ及び第二貫通孔３１ａが断面角型の貫通孔であり、本体部３９ａは、ＸＹ平面における断面が第一貫通孔２１ａ及び第二貫通孔３１ａの断面とほぼ同じ大きさの角型の外形を有していることにしてもよい。
【００８９】
突出部３９ｂは、挿入部材３９の下部に備えられ、本体部３９ａの周囲から外方に突出した円盤状の部位であり、第二端子３８と電気的に接続される。なお、突出部３９ｂと第二端子３８とは接していなくともよく、第二導電性部材３７を介して突出部３９ｂと第二端子３８とが電気的に接続されていればよい。
【００９０】
なお、図４のＬＥＤモジュール２では、一方のプラス側のリード線７０に供給された電流は、第一導電性部材２７、第一端子２８、第一金属配線２６、第一発光素子２２及び第一金属配線２４を通過し、他方のマイナス側のリード線７０から出力される。同様に、一方のプラス側のリード線７０に供給された電流は、第一導電性部材２７、挿入部材３９、第二導電性部材３７、第二端子３８、第二金属配線３６、第二発光素子３２及び第二金属配線３４を通過し、他方のマイナス側のリード線７０から出力される。
【００９１】
以上のように、本発明の実施の形態に係る電球形ランプ１によれば、導電性の挿入部材３９を備えている。ここで、挿入部材３９は、第一発光モジュール２０の第一貫通孔２１ａと第二発光モジュール３０の第二貫通孔３１ａとに挿入される。このように、挿入部材３９が第一貫通孔２１ａと第二貫通孔３１ａとに挿入されることで、挿入部材３９が第一貫通孔２１ａと第二貫通孔３１ａとの位置決めを行い、第一貫通孔２１ａと第二貫通孔３１ａとの位置ずれが生じるのを防ぐことができる。
【００９２】
また、挿入部材３９は、リード線７０を第一貫通孔２１ａと第二貫通孔３１ａとに挿入するための挿入経路を形成する。このように、挿入部材３９が、第一貫通孔２１ａ及び第二貫通孔３１ａが接着部材によって閉塞されるのを防ぎ、リード線７０の挿入経路を形成することで、リード線７０を第一貫通孔２１ａと第二貫通孔３１ａとに挿入して接続することができる。
【００９３】
また、挿入部材３９は、上部が第一発光モジュール２０の第一端子２８と電気的に接続されるとともに下部が第二発光モジュール３０の第二端子３８と電気的に接続されることで第一端子２８と第二端子３８とを電気的に接続する。このように、挿入部材３９が第一端子２８と第二端子３８とを電気的に接続することで、リード線７０を第一端子２８及び第二端子３８の双方に電気的に接続させる必要が無く、リード線７０を第一端子２８又は第二端子３８に電気的に接続すればよい。
【００９４】
また、電球形ランプ１の挿入部材３９は、外形が第一貫通孔２１ａと第二貫通孔３１ａとに対応した形状であり、第一貫通孔２１ａと第二貫通孔３１ａとに挿入されることで、第一貫通孔２１ａに対する第二貫通孔３１ａの位置を規制する。これにより、挿入部材３９が第一貫通孔２１ａと第二貫通孔３１ａとの位置決めをより正確に行うことができ、第一貫通孔２１ａと第二貫通孔３１ａとの位置ずれが生じるのをさらに防ぐことができる。このため、第一基台２１と第二基台３１との位置決めを正確に行うことができる。
【００９５】
また、電球形ランプ１の挿入部材３９は、貫通孔３９ｃが形成された中空ピンであり、リード線７０は、貫通孔３９ｃを挿入経路として挿入部材３９に挿入されることで、第一貫通孔２１ａと第二貫通孔３１ａとに挿入される。これにより、挿入部材３９が、第一貫通孔２１ａ及び第二貫通孔３１ａが接着部材によって閉塞されるのをより確実に防ぎ、リード線７０を第一貫通孔２１ａと第二貫通孔３１ａとに容易に挿入して接続することができる。
【００９６】
また、電球形ランプ１の挿入部材３９は突出部３９ｂを有し、突出部３９ｂは、第二端子３８と電気的に接続される。これにより、挿入部材３９の突出部３９ｂと第二端子３８とを電気的に接続することで、容易に、挿入部材３９と第二端子３８とを電気的に接続することができる。
【００９７】
また、電球形ランプ１は、リード線７０の上部と挿入部材３９の上部と第一端子２８とを覆う第一導電性部材２７を備えており、リード線７０の上部と挿入部材３９の上部と第一端子２８とは、第一導電性部材２７を介して電気的に接続される。つまり、リード線７０を挿入部材３９に挿入した後に、第一導電性部材２７でリード線７０の上部と挿入部材３９の上部と第一端子２８とを覆うことで、容易に、リード線７０と挿入部材３９と第一端子２８とを電気的に接続することができる。
【００９８】
以上のように、２つの発光モジュールを貼り合わせる構成を有する電球形ランプ１において、当該２つの発光モジュールにリード線７０を接続する際の生産性を向上させることができる。
【００９９】
次に、電球形ランプ１の製造方法について、説明する。
【０１００】
図８及び図９は、本発明の実施の形態に係る電球形ランプ１の製造方法を示すフローチャートである。具体的には、図８は、ＬＥＤモジュール２とリード線７０との接続方法を示すフローチャートである。また、図９は、第一端子２８と挿入部材３９の上部とを電気的に接続する第二接続工程を詳細に示すフローチャートである。
【０１０１】
また、図１０は、本発明の実施の形態に係る電球形ランプ１の製造過程を説明するための図である。
【０１０２】
図８に示すように、まず、第一挿入工程として、第二貫通孔３１ａに挿入部材３９を挿入することで、リード線７０を第二貫通孔３１ａに挿入するための挿入経路を形成する（Ｓ１０２）。具体的には、図１０の（ａ）に示すように、第二基台３１の下方に挿入部材３９を配置し、図１０の（ｂ）に示すように、第二貫通孔３１ａに挿入部材３９を挿入する。
【０１０３】
そして、図８に戻り、第一接続工程として、第二端子３８と挿入部材３９の下部とを電気的に接続する（Ｓ１０４）。具体的には、図１０の（ｃ）に示すように、挿入部材３９の突出部３９ｂの先端部と第二端子３８とを覆うように第二導電性部材３７で半田付けすることによって、突出部３９ｂと第二端子３８とを電気的に接続する。
【０１０４】
そして、図８に戻り、第二挿入工程として、第一貫通孔２１ａに挿入部材３９を挿入することで、リード線７０を第一貫通孔２１ａに挿入するための挿入経路を形成する（Ｓ１０６）。具体的には、図１０の（ｄ）に示すように、第二基台３１の上方に第一基台２１を配置し、第一貫通孔２１ａに挿入部材３９を挿入する。
【０１０５】
そして、図８に戻り、第二接続工程として、第一端子２８と挿入部材３９の上部とを電気的に接続することで、第一端子２８と第二端子３８とを電気的に接続する（Ｓ１０８）。以下に、この第二接続工程について、図９を用いて詳細に説明する。
【０１０６】
まず、図９に示すように、第一貫通孔２１ａと第二貫通孔３１ａとにリード線７０を挿入する（Ｓ２０２）。具体的には、図１０の（ｅ）に示すように、挿入部材３９の貫通孔３９ｃにリード線７０を挿入する。
【０１０７】
そして、図９に戻り、リード線７０の上部と挿入部材３９の上部と第一端子２８とを電気的に接続する（Ｓ２０４）。具体的には、図１０の（ｆ）に示すように、リード線７０の上部と挿入部材３９の上部と第一端子２８とを覆うように第一導電性部材２７で半田付けすることによって、リード線７０と挿入部材３９と第一端子２８とを電気的に接続する。
【０１０８】
以上のように、本発明の実施の形態に係る電球形ランプ１の製造方法によれば、第二発光モジュール３０の第二貫通孔３１ａに挿入部材３９を挿入することで、リード線７０を第二貫通孔３１ａに挿入するための挿入経路を形成する第一挿入工程を含む。これにより、挿入部材３９が、第二貫通孔３１ａが接着部材によって閉塞されるのを防ぐことができる。
【０１０９】
また、電球形ランプ１の製造方法では、第二端子３８と挿入部材３９の下部とを電気的に接続する第一接続工程を含む。つまり、第一発光モジュール２０と第二発光モジュール３０とを貼り合わせる前に第二端子３８と挿入部材３９とを半田付けする。これにより、第一発光モジュール２０と第二発光モジュール３０とを貼り合わせた後に第二端子３８と挿入部材３９とを半田付けする工程をなくすことができる。
【０１１０】
また、電球形ランプ１の製造方法では、第一発光モジュール２０の第一貫通孔２１ａに挿入部材３９を挿入することで、リード線７０を第一貫通孔２１ａに挿入するための挿入経路を形成する第二挿入工程を含む。これにより、挿入部材３９が、第一貫通孔２１ａが接着部材によって閉塞されるのを防ぐことができる。また、挿入部材３９が第一貫通孔２１ａと第二貫通孔３１ａとに挿入されることで、挿入部材３９が第一貫通孔２１ａと第二貫通孔３１ａとの位置決めを行い、第一貫通孔２１ａと第二貫通孔３１ａとの位置ずれが生じるのを防ぐことができる。
【０１１１】
また、電球形ランプ１の製造方法では、第一端子２８と挿入部材３９の上部とを電気的に接続することで、第一端子２８と第二端子３８とを電気的に接続する第二接続工程を含む。このように、挿入部材３９が第一端子２８と第二端子３８とを電気的に接続することで、リード線７０を第一端子２８及び第二端子３８の双方に電気的に接続させる必要が無く、リード線７０を第一端子２８又は第二端子３８に電気的に接続すればよい。
【０１１２】
また、電球形ランプ１の製造方法における第一接続工程では、挿入部材３９の突出部３９ｂと第二端子３８とを電気的に接続する。これにより、容易に、挿入部材３９と第二端子３８とを電気的に接続することができる。
【０１１３】
また、電球形ランプ１の製造方法における第二接続工程では、第一貫通孔２１ａと第二貫通孔３１ａとにリード線７０を挿入し、リード線７０の上部と挿入部材３９の上部と第一端子２８とを電気的に接続する。つまり、リード線７０を挿入部材３９に挿入した後に、第一導電性部材２７でリード線７０の上部と挿入部材３９の上部と第一端子２８とを覆うことで、容易に、リード線７０と挿入部材３９と第一端子２８とを電気的に接続することができる。
【０１１４】
以上のように、２つの発光モジュールを貼り合わせる構成を有する電球形ランプ１の製造方法において、当該２つの発光モジュールにリード線７０を接続する際の生産性を向上させることができる。
【０１１５】
また、上記の構成において、特に第二基台３１において半田の面積を低減することができるため、第二基台３１が発光素子からの光を反射する光反射率が半田部分によって低下するのを抑制することができ、光取り出し効率を向上させることができる。つまり、第二基台３１の基板表面は、光反射率９０％以上の材料を使用するなど通常高反射率になるように形成されるが、半田の表面は光反射率が低いため、半田の面積を低減することで、第二基台３１の光反射率が低下するのを抑制することができる。
【０１１６】
また、上記の構成において、第二基台３１において半田の面積を低減することができるため、支柱４０との接触面積を増加することが可能であり、放熱性を向上させることができる。つまり、第二基台３１の半田部分と支柱４０との間には絶縁耐圧を満たすだけの所定の距離を設定する必要があるため、半田部分を小さくすることで、第二基台３１と支柱４０との接触面積を広げることができる。
【０１１７】
また、上記の構成において、第一基台２１と第二基台３１とが異なる形状の場合でも、第一基台２１と第二基台３１とを張り合わせる際の位置決めが可能となる。つまり、第一基台２１と第二基台３１とが異なる形状の場合には基板形状を利用した位置決めができないようになるが、挿入部材３９を用いることで容易に位置決めが可能になるため、上記構成による効果は大きい。
【０１１８】
また、挿入部材３９により第一基台２１と第二基台３１とが水平方向に固定されるため、第一基台２１及び第二基台３１の熱による変形や反りを抑制し、第一基台２１と第二基台３１との間の熱的な接触を維持することができる。つまり、挿入部材３９によって水平方向の位置規制効果が得られるため、高温状態での変形や反りなどを防ぐ効果が期待でき、特に第一基台２１と第二基台３１とが異種材料または異なる厚みである場合などには、反り等の発生が懸念されるため、効果は大きい。
【０１１９】
（変形例）
次に、上記実施の形態に係る電球形ランプの変形例について、図面を参照しながら説明する。以下に説明する各変形例に係る電球形ランプと上記の実施の形態に係る電球形ランプ１とは、挿入部材の形状が異なる。なお、それ以外の構成は上記の実施の形態と同じであるので詳しい説明は省略する。
【０１２０】
（変形例１）
まず、本発明の実施の形態の変形例１について、図１１を用いて説明する。図１１は、本発明の実施の形態の変形例１に係る電球形ランプにおけるＬＥＤモジュールとリード線７０との接続箇所の構成を示す図である。
【０１２１】
上記実施の形態に係る電球形ランプ１では、挿入部材３９は、突出部３９ｂが本体部３９ａから全周にわたって突出していることとした。しかし、図１１に示すように、本変形例１に係る電球形ランプでは、挿入部材１３９の突出部１３９ｂは、本体部１３９ａの一部から突出している。
【０１２２】
本変形例１に係る電球形ランプは、この構成によっても、突出部１３９ｂは第二端子３８と電気的に接続されるため、上記実施の形態に係る電球形ランプ１と同様の効果を奏する。
【０１２３】
（変形例２）
次に、本発明の実施の形態の変形例２について、図１２を用いて説明する。図１２は、本発明の実施の形態の変形例２に係る電球形ランプにおけるＬＥＤモジュールとリード線７０との接続箇所の構成を示す図である。
【０１２４】
上記実施の形態に係る電球形ランプ１では、挿入部材３９は突出部３９ｂを備えていることとした。しかし、図１２に示すように、本変形例２に係る電球形ランプでは、挿入部材２３９は突出部を備えていない。つまり、挿入部材２３９は、上下方向に延びる円筒形状の部材である。
【０１２５】
本変形例２に係る電球形ランプは、この構成によっても、第二導電性部材３７によって挿入部材２３９と第二端子３８とを電気的に接続させることができるため、上記実施の形態に係る電球形ランプ１と同様の効果を奏する。
【０１２６】
（変形例３）
次に、本発明の実施の形態の変形例３について、図１３を用いて説明する。図１３は、本発明の実施の形態の変形例３に係る電球形ランプにおけるＬＥＤモジュールとリード線７０との接続箇所の構成を示す図である。
【０１２７】
上記実施の形態に係る電球形ランプ１では、リード線７０は、挿入部材３９から突出し、リード線７０の上部が第一導電性部材２７によって覆われることで、リード線７０と挿入部材３９と第一端子２８とが電気的に接続されることとした。しかし、図１３に示すように、本変形例３に係る電球形ランプでは、リード線７０は、挿入部材３３９から突出していない。つまり、挿入部材３３９の貫通孔３３９ｃの径がリード線７０の外径よりも小さくなるように形成されており、貫通孔３３９ｃにリード線７０が圧入されることで、挿入部材３３９とリード線７０とが電気的に接続されている。また、挿入部材３３９と第一端子２８とが第一導電性部材２７に覆われることで、挿入部材３３９と第一端子２８とが電気的に接続されている。
【０１２８】
本変形例３に係る電球形ランプは、この構成によっても、挿入部材３３９とリード線７０と第一端子２８とを電気的に接続することができるため、上記実施の形態に係る電球形ランプ１と同様の効果を奏する。
【０１２９】
（変形例４）
次に、本発明の実施の形態の変形例４について、図１４を用いて説明する。図１４は、本発明の実施の形態の変形例４に係る電球形ランプにおける挿入部材の構成を示す図である。
【０１３０】
上記実施の形態に係る電球形ランプ１では、挿入部材３９は、外形が第一貫通孔２１ａと第二貫通孔３１ａとに対応した円筒形状の本体部３９ａを備えた中空ピンであることにした。しかし、図１４に示すように、本変形例４に係る電球形ランプでは、挿入部材４３９は、外形が第一貫通孔２１ａや第二貫通孔３１ａには対応しない角型の本体部４３９ａを備えている。また、挿入部材４３９は、中空ピンではなく、本体部４３９ａの側面（同図ではＹ軸マイナス側の面）に開口を有している。なお、挿入部材４３９は、角型平板状の突出部４３９ｂを有しているが、突出部４３９ｂの形状は限定されない。
【０１３１】
この構成によっても、挿入部材４３９は、第一端子２８と第二端子３８とを電気的に接続することができる。また、挿入部材４３９は、第一貫通孔２１ａと第二貫通孔３１ａとに挿入され、リード線７０を第一貫通孔２１ａと第二貫通孔３１ａとに挿入するための挿入経路を形成することができる。このため、本変形例４に係る電球形ランプによっても、上記実施の形態に係る電球形ランプ１と同様の効果を奏する。
【０１３２】
（変形例５）
次に、本発明の実施の形態の変形例５について、図１５を用いて説明する。図１５は、本発明の実施の形態の変形例５に係る電球形ランプにおける挿入部材の構成を示す図である。
【０１３３】
上記実施の形態に係る電球形ランプ１では、第一基台２１及び第二基台３１は非導電性の基板であることにした。しかし、本変形例５に係る電球形ランプでは、第一基台２１及び第二基台３１はアルミ基板のような導電性の基板であることとする。この場合、本変形例５に係る電球形ランプの挿入部材５３９は、本体部５３９ａの周りに配置される絶縁部材５３９ｂを備えている。
【０１３４】
絶縁部材５３９ｂは、上下方向に延びる円筒状の部材であり、本体部５３９ａの側面を全周にわたって覆うように配置された絶縁性の部材である。つまり、絶縁部材５３９ｂは、挿入部材５３９が第一貫通孔２１ａと第二貫通孔３１ａとに挿入される際に、本体部５３９ａが第一基台２１及び第二基台３１と接触（導通）しないように、本体部５３９ａを覆うように配置されている。
【０１３５】
なお、第一貫通孔２１ａ及び第二貫通孔３１ａが断面円形状の貫通孔であるので、絶縁部材５３９ｂは、水平面（ＸＹ平面）における断面が第一貫通孔２１ａ及び第二貫通孔３１ａの断面とほぼ同じ大きさの円形状の外形を有している。これにより、絶縁部材５３９ｂは、第一貫通孔２１ａと第二貫通孔３１ａとに挿入されることで、第一貫通孔２１ａに対する第二貫通孔３１ａの位置を規制する役割も果たす。なお、第一貫通孔２１ａ及び第二貫通孔３１ａが断面角型の貫通孔であり、絶縁部材５３９ｂは、ＸＹ平面における断面が第一貫通孔２１ａ及び第二貫通孔３１ａの断面とほぼ同じ大きさの角型の外形を有していることにしてもよい。
【０１３６】
この構成によっても、挿入部材５３９は、第一基台２１及び第二基台３１との絶縁性を確保しつつ、第一端子２８と第二端子３８とを電気的に接続することができるため、本変形例５に係る電球形ランプによっても、上記実施の形態に係る電球形ランプ１と同様の効果を奏する。
【０１３７】
（変形例６）
次に、本発明の実施の形態の変形例６について、図１６を用いて説明する。図１６は、本発明の実施の形態の変形例６に係るＬＥＤモジュール２と支柱４１の構成を示す図である。
【０１３８】
上記実施の形態に係る電球形ランプ１では、第一基台２１及び第二基台３１には、第一貫通孔２１ａ及び第二貫通孔３１ａが形成されていることにした。しかし、本変形例６に係る電球形ランプでは、第一基台２１及び第二基台３１には、第一貫通孔２１ａ及び第二貫通孔３１ａに加えて、第三貫通孔２１ｂ及び第四貫通孔３１ｂが形成されている。
【０１３９】
つまり、支柱４１の上面中央部には円柱状の突起部４１ａが形成されており、第一基台２１及び第二基台３１には、突起部４１ａが挿入される円形状の第三貫通孔２１ｂ及び第四貫通孔３１ｂが形成されている。この突起部４１ａと第三貫通孔２１ｂ及び第四貫通孔３１ｂとにより、支柱４１上でＬＥＤモジュール２が位置決めされる。
【０１４０】
このように、第一基台２１及び第二基台３１には、第一貫通孔２１ａ及び第二貫通孔３１ａ以外の半田付けには直接関係しない貫通孔が形成されていても構わない。そして、本変形例６に係る電球形ランプは、この構成によっても、上記実施の形態に係る電球形ランプ１と同様の効果を奏する。
【０１４１】
以上、本発明に係る電球形ランプについて、実施の形態及びその変形例に基づいて説明したが、本発明は、これらの実施の形態及び変形例に限定されるものではない。つまり、今回開示された実施の形態及びその変形例は全ての点で例示であって制限的なものではないと考えられるべきである。本発明の範囲は上記した説明ではなくて請求の範囲によって示され、請求の範囲と均等の意味及び範囲内での全ての変更が含まれることが意図される。
【０１４２】
例えば、上記実施の形態及び変形例１、２、５、６では、リード線７０の先端が第一導電性部材２７の表面で露出するように設けられるとしたが、第一導電性部材２７により完全に被覆されていてもよい。この場合には、リード線７０と第一導電性部材２７との接触面積が増加するため、両者の接続を強固にすることができる。
【０１４３】
また、上記実施の形態及びその変形例では、第一導電性部材２７及び第二導電性部材３７は第一貫通孔２１ａ内の空間を隔てて離れて設けられるとした。しかし、第一導電性部材２７及び第二導電性部材３７は別々の部材でなく、一体となって１つの接着部材として設けられても構わない。つまり、１つの導電性部材が、第一端子２８及び第二端子３８並びにリード線７０と接するように、第一貫通孔２１ａ内と、第一基台２１の上面と、第二基台３１の下面とに連続して設けられてもよい。
【０１４４】
また、上記実施の形態及び変形例では、第一導電性部材２７及び第二導電性部材３７は半田などの導電性接着剤であることとした。しかし、第一導電性部材２７又は第二導電性部材３７は金属製の板状部材や配線などであってもよく、当該板状部材や配線などで第一端子２８とリード線７０と挿入部材とを接続したり、第二端子３８と挿入部材とを接続したりすることにしてもよい。
【０１４５】
また、上記実施の形態及び変形例では、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子を用いてもよい。
【０１４６】
また、上記実施の形態及び変形例では、ＬＥＤモジュール２は第一基台２１及び第二基台３１上にＬＥＤチップを直接実装したＣＯＢ型の構成としたが、これに限らない。例えば、樹脂成形されたキャビティの中にＬＥＤチップを実装して当該キャビティ内を蛍光体含有樹脂によって封入したパッケージ型、つまり表面実装型（ＳＭＤ：Ｓｕｒｆａｃｅ  Ｍｏｕｎｔ  Ｄｅｖｉｃｅ）のＬＥＤ素子を用い、このＳＭＤ型のＬＥＤ素子を基板上に複数個実装することで構成されたＬＥＤモジュールを用いても構わない。
【０１４７】
また、本発明は、上記の電球形ランプを備える照明装置として実現することもできる。例えば、上記の電球形ランプと、当該電球形ランプが取り付けられる点灯器具とを備える照明装置として構成することができる。この場合、点灯器具は、照明用光源の消灯及び点灯を行うものであり、例えば、天井に取り付けられる器具本体と、照明用光源を覆うカバーとを備える。このうち、器具本体は、照明用光源の口金が装着されるとともに照明用光源に給電を行うソケットを有する。
【０１４８】
その他、本発明の趣旨を逸脱しない限り、当業者が思いつく各種変形を本実施の形態及び変形例に施したもの、又は、実施の形態及び変形例における構成要素を組み合わせて構築される形態も、本発明の範囲内に含まれる。
【産業上の利用可能性】
【０１４９】
本発明は、従来の白熱電球等を代替する電球形ランプとして有用であり、照明装置等において広く利用することができる。
【符号の説明】
【０１５０】
１  電球形ランプ
２  ＬＥＤモジュール
１０  グローブ
１１  開口部
２０  第一発光モジュール
２１  第一基台
２１ａ  第一貫通孔
２１ｂ  第三貫通孔
２２  第一発光素子
２３  第一封止部材
２４、２６  第一金属配線
２５  第一ワイヤー
２７  第一導電性部材
２８  第一端子
３０  第二発光モジュール
３１  第二基台
３１ａ  第二貫通孔
３１ｂ  第四貫通孔
３２  第二発光素子
３３  第二封止部材
３４、３６  第二金属配線
３５  第二ワイヤー
３７  第二導電性部材
３８  第二端子
３９、１３９、２３９、３３９、４３９、５３９  挿入部材
３９ａ、１３９ａ、４３９ａ、５３９ａ  本体部
３９ｂ、１３９ｂ、４３９ｂ  突出部
３９ｃ、３３９ｃ  貫通孔
４０、４１  支柱
４１ａ  突起部
５０  支持板
６０  樹脂ケース
６１  第１ケース部
６２  第２ケース部
７０  リード線
８０  点灯回路
９０  口金
５３９ｂ  絶縁部材
【要約】
電球形ランプ（１）であって、第一発光モジュール（２０）と、第一発光モジュール（２０）の下面に接合された第二発光モジュール（３０）と、点灯回路（８０）と、リード線（７０）とを備え、第一発光モジュール（２０）は、第一貫通孔（２１ａ）が形成された第一基台（２１）と第一端子（２８）とを有し、第二発光モジュール（３０）は、第二貫通孔（３１ａ）が形成された第二基台（３１）と第二端子（３８）とを有し、電球形ランプ（１）は、さらに、第一貫通孔（２１ａ）と第二貫通孔（３１ａ）とに挿入され、上部が第一端子（２８）と電気的に接続されるとともに下部が第二端子（３８）と電気的に接続される導電性の挿入部材（３９）であって、リード線（７０）を第一貫通孔（２１ａ）と第二貫通孔（３１ａ）とに挿入するための挿入経路を形成する挿入部材（３９）を備える。【図１】
0005420124.tif 000002
【図２】
0005420124.tif 000003
【図３】
0005420124.tif 000004
【図４】
0005420124.tif 000005
【図５】
0005420124.tif 000006
【図６】
0005420124.tif 000007
【図７】
0005420124.tif 000008
【図８】
0005420124.tif 000009
【図９】
0005420124.tif 000010
【図１０】
0005420124.tif 000011
【図１１】
0005420124.tif 000012
【図１２】
0005420124.tif 000013
【図１３】
0005420124.tif 000014
【図１４】
0005420124.tif 000015
【図１５】
0005420124.tif 000016
【図１６】
0005420124.tif 000017